(57)【要約】【課題】  非常に単純な構成で、レットオフ感を付与することができる鍵盤楽器のレットオフ付与装置を提供する。【解決手段】  鍵６の押鍵に伴ってレットオフ感を付与するための鍵盤楽器のレットオフ付与装置１であって、鍵６の所定位置に設けられたばね力作用部６ｃと、ばね力作用部６ｃの付近に設けられた不動の固定部４１と、ばね力作用部６ｃおよび固定部４１の一方に設けられ、押鍵に伴う鍵６の回動の途中で、ばね力作用部６ｃおよび固定部４１の他方に係合することにより、鍵６をその回動方向と逆方向に付勢するとともに、鍵６が最終的な押鍵位置に達する前にばね力作用部６ｃおよび固定部４１の他方から離脱するばね４２と、を備えている。【選択図】  図３
2007139881.tif 000002
【特許請求の範囲】
【請求項１】
鍵の押鍵に伴ってレットオフ感を付与するための鍵盤楽器のレットオフ付与装置であって、
前記鍵の所定位置に設けられたばね力作用部と、
当該ばね力作用部の付近に設けられた不動の固定部と、
前記ばね力作用部および前記固定部の一方に設けられ、押鍵に伴う前記鍵の回動の途中で、前記ばね力作用部および前記固定部の他方に係合することにより、前記鍵をその回動方向と逆方向に付勢するとともに、前記鍵が最終的な押鍵位置に達する前に前記ばね力作用部および前記固定部の他方から離脱するばねと、
を備えていることを特徴とする鍵盤楽器のレットオフ付与装置。
【請求項２】
前記鍵は、前後方向に延び、前後方向の中央において支点に回動自在に支持され、
前記固定部は、前記鍵の後方に設けられ、
前記ばね力作用部は、前記鍵の後端部に設けられていることを特徴とする請求項１に記載の鍵盤楽器のレットオフ付与装置。
【請求項３】
前記ばねは、板ばねで構成されていることを特徴とする請求項１または２に記載の鍵盤楽器のレットオフ付与装置。
【発明の詳細な説明】
【技術分野】
【０００１】
本発明は、押鍵に伴ってレットオフ感を付与するための鍵盤楽器のレットオフ付与装置に関する。
【背景技術】
【０００２】
一般に、ピアノの演奏者は、押鍵に伴う鍵のタッチ重さの変化、特に、ジャックが抜けるまでのタッチ重さの急増と、その後にジャックが抜ける（レットオフ）ことによるタッチ重さの急減とによって付与されるレットオフ感を感じ取ることにより、微妙なタッチコントロールを行っており、それにより、表現力に優れた演奏を行うことができる。そのようなレットオフ感を電子鍵盤楽器において付与するレットオフ付与装置として、例えば、特許文献１に開示されたものが知られている。
【０００３】
このレットオフ付与装置は、鍵の下方に設けられ、鍵の押鍵に伴って回動するハンマーを備えている。このハンマーは、前後方向に延びており、ハンマーには、前方にそれぞれ突出する上側のバネ性部材および下側のレバー取付け部が、互いに間隔を隔てて設けられている。また、バネ性部材の前端部には、レバー受部が設けられており、このレバー受部に、鍵が上方から当接している。また、レバー受部とレバー取付け部の間には、脱進レバーが設けられている。脱進レバーは、上下方向に延びており、下端部において、左右方向に水平に延びる回動軸線を中心として、レバー取付け部に回動自在に取り付けられるとともに、上端部においてレバー受部に係合し、バネ性部材を支持している。また、脱進レバーは、レバー取付け部との間に設けられたバネによって、上端部が前側に付勢されている。また、脱進レバーの下端部から、アーム部が前方に延びており、アーム部の前端部の下方には、アーム部と間隔を隔ててストッパが設けられている。
【０００４】
以上のような構成によれば、演奏者の押鍵により鍵が回動するのに伴い、ハンマーは、レバー受部を介して鍵で押圧されることによって、下方に回動する。その途中で、脱進レバーのアーム部がストッパに当接し、さらに押鍵することにより、タッチ重さが急増する。そして、脱進レバーが、バネの付勢力に抗してレバー受部から後方に抜けるように回動することにより、バネ性部材への支持が失われ、それに伴い、バネ性部材に設けられたレバー受部を押圧する鍵への支持もまた、失われる。したがって、タッチ重さが急減することによって、演奏者にレットオフ感が付与される。
【０００５】
一方、アコースティックなピアノの場合、そのアクションやハンマーなどによって、レットオフ感が付与される。具体的には、アップライトピアノの場合、押鍵に伴い、バットおよびハンマーなどを組み立てたハンマー組立て品は、ジャックによりバットが突き上げられることによって、バットの回動支点を中心として後方に回動する。また、この回動の途中で、ジャックがバットから離脱する直前でタッチ重さが増加し、ジャックが離脱することでタッチ重さが急減することにより、演奏者にレットオフ感が付与される。ハンマー組立て品は、慣性によってそのまま回動し、後方に鉛直に張られた弦を打弦することによって、ピアノ音を発生させる。
【０００６】
上記のようなアップライトピアノでは、ジャックがバットから離脱するときのタッチ重さであるレットオフ荷重は、グランドピアノよりも小さい。これは、アップライトピアノの場合、ハンマーシャンクが上下方向に延びていることから、ハンマーの自重による回動支点回りのモーメントは小さいためである。したがって、アップライトピアノでは、レットオフの前後のタッチ重さの変化量が小さく、レットオフ感がグランドピアノよりも不明瞭になる。このため、アップライトピアノの演奏者は、レットオフのタイミングを把握し難く、レットオフ直前のタッチコントロール、すなわちハンマーの打弦速度の微妙な調整が難しいので、このことが、アップライトピアノがグランドピアノよりも表現力に乏しく演奏性が低い原因になっている。
【０００７】
このような不具合を解消するために、前述した従来のレットオフ付与装置をアップライトピアノに適用し、レットオフ荷重を増大させることが考えられる。しかし、アップライトピアノの鍵盤の下方には、鍵盤などを支持する筬などが配置され、スペースに余裕がほとんどないため、そのままでは、従来のレットオフ付与装置を適用することは困難であり、大幅な設計の変更などを行う必要がある。また、前述したように、従来のレットオフ付与装置は、構成が比較的複雑であるので、アップライトピアノに適用したとしても、製造コストが大きく増大してしまう。
【０００８】
本発明は、上記のような課題を解決するためになされたものであり、非常に単純な構成で、レットオフ感を付与することができる鍵盤楽器のレットオフ付与装置を提供することを目的としている。
【０００９】
【特許文献１】特開平７−１６８５６９号公報
【発明の開示】
【課題を解決するための手段】
【００１０】
上記の目的を達成するために、本発明の請求項１に係る発明は、鍵の押鍵に伴ってレットオフ感を付与するための鍵盤楽器のレットオフ付与装置であって、鍵の所定位置に設けられたばね力作用部と、ばね力作用部の付近に設けられた不動の固定部と、ばね力作用部および固定部の一方に設けられ、押鍵に伴う鍵の回動の途中で、ばね力作用部および固定部の他方に係合することにより、鍵をその回動方向と逆方向に付勢するとともに、鍵が最終的な押鍵位置に達する前にばね力作用部および固定部の他方から離脱するばねと、を備えていることを特徴とする。
【００１１】
この鍵盤楽器のレットオフ付与装置によれば、演奏者が鍵を押鍵することにより回動させると、その途中で、鍵のばね力作用部および固定部の一方に設けられたばねが、ばね力作用部および固定部の他方に係合し、それにより、鍵をその回動方向と逆方向に付勢する。演奏者がさらに押鍵するのに伴い、このばねの付勢力が次第に増加することによって、タッチ重さが次第に増大する。そして、ばねは、鍵が最終的な押鍵位置に達する前に、ばね力作用部および固定部の他方から離脱する。このばねの離脱により、それまでに増大していたタッチ重さが急減することによってレットオフ感が付与され、その後、鍵が押鍵位置に達することにより、押鍵が終了する。
【００１２】
以上のように、押鍵に伴う鍵の回動中に、鍵のばね力作用部および固定部の一方に設けたばねを、これらの他方に係合・離脱させることによって、ばねの付勢力によるレットオフ荷重を生じさせ、グランドピアノで得られるようなレットオフ感を付与することができる。したがって、タッチ感をグランドピアノに近づけることができるとともに、鍵のタッチコントロールを容易に行うことができ、演奏の表現力を向上させることができる。
【００１３】
また、本発明によるレットオフ付与装置は、上述したような非常に単純な構成を有しているので、アクションが設けられていない鍵盤楽器にも後付けで容易に取り付けることができ、それによりレットオフ感を容易に得ることができる。また、同じ理由により、このレットオフ付与装置を、例えばアップライトピアノのアクションと併用することも可能である。その場合、アップライトピアノのジャックによる本来のレットオフ荷重に加えて、ばねによるレットオフ荷重が作用する。それにより、ばねによるレットオフ荷重の分、より大きなレットオフ感が演奏者に付与される。その結果、演奏者は、グランドピアノを演奏するときのようにレットオフのタイミングを把握し易くなり、レットオフ直前のタッチコントロール、すなわちハンマーの打弦速度の微妙な調整をより容易に行うことができる。
【００１４】
また、押鍵時のばねの付勢力によるタッチ重さへの影響は、ばねが鍵のばね力作用部または固定部に係合する間に限定され、それ以外はタッチ重さに影響を及ぼさない。したがって、「ばねっぽい」タッチ感になることなく、良好なタッチ感を得ることができる。
【００１５】
請求項２に係る発明は、請求項１に記載の鍵盤楽器のレットオフ付与装置において、鍵は、前後方向に延び、前後方向の中央において支点に回動自在に支持され、固定部は、鍵の後方に設けられ、ばね力作用部は、鍵の後端部に設けられていることを特徴とする。
【００１６】
この構成によれば、前後方向の中央の支点において回動する鍵の後端部に、ばねの付勢力が作用することによって、レットオフ感が付与される。このように、鍵の後端部に設けられたばね力作用部に、すなわち鍵の回動の支点から遠い位置にばねの付勢力が作用するので、ばねの付勢力による支点回りのモーメントをより大きくすることができる。それにより、より大きなレットオフ荷重を付与することができ、したがって、演奏者は、より明確なレットオフ感を得ることができる。
【００１７】
また、鍵の後端部は、押鍵に伴うストロークが大きいので、ばねが、鍵の後端部および固定部の一方に係合するタイミングと、これらの他方から離脱するタイミングを、ばねを他の部分に設けた場合よりもきめ細かく調整することができ、最適な大きさのレットオフ荷重およびレットオフのタイミングを容易に得ることができる。
【００１８】
また、アップライトピアノには一般に、鍵の後方に他の構成部品が配置されていないスペースが存在するので、そのようなスペースを利用して鍵の後端部付近にばね等を配置することにより、アップライトピアノの他の構成部品と干渉することなく、比較的容易にこのレットオフ付与装置を適用することができる。
【００１９】
請求項３に係る発明は、請求項１または２に記載の鍵盤楽器のレットオフ付与装置において、ばねは、板ばねで構成されていることを特徴とする。
【００２０】
この構成によれば、ばねが、板ばねで構成されている。それにより、板ばねの表裏の一方の面を鍵のばね力作用部または固定部に接触させた状態で、ねじなどにより容易に取り付けることができる。また、板ばねは、曲げることにより容易に変形させることができるので、ばねがばね力作用部または固定部に係合するタイミングや、ばねの付勢力を、容易に調整することができる。また、板ばねは、一般的に耐久性に優れているので、ばねによって付与されるレットオフ荷重の大きさを、比較的長期間、一定に保つことができる。
【発明を実施するための最良の形態】
【００２１】
以下、本発明の好ましい実施形態を、図面を参照しながら詳細に説明する。図１は、本発明の第１実施形態によるレットオフ付与装置１を適用したアップライトピアノの鍵盤２、アクション３およびハンマー４などを、離鍵状態において示している。なお、以下の説明では、演奏者側から見たときのアップライトピアノの手前側を「前」、奥側を「後」として説明する。
【００２２】
鍵盤２は、ピアノの左右方向に並んだ多数の鍵６（１つのみ図示）によって構成されている。また、棚板８の上面には筬７が設けられており、各鍵６は、前後方向（図１の左右方向）に延び、その中央において、筬７に立設されたバランスピン７ａを支点として回動自在に支持されている。また、鍵６は、上面の後端部に先座板６ｂを有しており、この先座板６ｂの上面の後端部が、後述する板ばね４２のばね力が押鍵時に作用するばね力作用部６ｃになっている。また、筬７の後方には、バックレール７ｂが設けられており、各鍵６の後端部は、このバックレール７ｂに、フェルト７ｃを介して載置されている。
【００２３】
アクション３は、鍵盤２の後端部の上方において、筬７の左右端部にそれぞれ設けたブラケット（図示せず）に取り付けられ、両ブラケットの間に設けられている。アクション３は、ウィッペン１１、ジャック１３およびバット１６などを有しており、これらは、鍵６ごとに設けられている（いずれも１つのみ図示）。左右のブラケットの間には、センターレール２９およびハンマーレール３０などが渡されており、このセンターレール２９に、ウィッペンフレンジ１２およびバットフレンジ１７が、鍵６ごとにねじ止めされている（ともに１つのみ図示）。そして、ウィッペン１１が後端部において、ウィッペンフレンジ１２に、ピン状の支点１１ｂを介して回動自在に支持されている。また、バット１６およびハンマー４などを有するハンマー組立て品５が、バット１６の下端部において、バットフレンジ１７にピン状の支点１６ｂを介して回動自在に支持されている。
【００２４】
ウィッペン１１は、例えば合成樹脂によって所定の形状に形成されており、その前部から下方に突出するヒール部１１ａを有していて、対応する鍵６の先座板６ｂに設けたキャプスタンボタン６ａに、ヒール部１１ａを介して載置されている。また、ウィッペン１１の上面前端部には、バックチェックワイヤ１８ａが立設されていて、その先端部にバックチェック１８が取り付けられている。また、ウィッペン１１の上面の後端部には、後述するダンパー２５を駆動するためのスプーン１９が立設されている。また、このスプーン１９のすぐ前方には、前述したウィッペンフレンジ１２が配置されており、このウィッペンフレンジ１２は、その上部においてセンターレール２９に固定されている。
【００２５】
ジャック１３は、例えば合成樹脂で構成されており、前後方向に延びる基部１３ａと、基部１３ａの後端部から上方に延びるハンマー突上げ部１３ｂを有している。このようなジャック１３は、その基部１３ａとハンマー突上げ部１３ｂとの角部において、ウィッペン１１のバックチェックワイヤ１８ａよりも後方の位置に、ピン状の支点１３ｃを介して回動自在に支持されている。また、基部１３ａとウィッペン１１の間には、コイルばねで構成されたジャックスプリング１４が設けられている。
【００２６】
また、ジャック１３の基部１３ａの上方には、複数のレギュレティングボタン２０が設けられている（１つのみ図示）。このレギュレティングボタン２０は、センターレール２９に設けられた複数のレギュレティングブラケット２１（１つのみ図示）と、その前端部に取り付けられ、左右方向に延びるレギュレティングレール２２とを介して、鍵６ごとに設けられている。
【００２７】
また、前述したバットフレンジ１７は、その下端部においてセンターレール２９に固定されている。バット１６は、例えば合成樹脂により所定の形状に形成されており、後側の下端部において、バットフレンジ１７に回動自在に取り付けられている。また、バット１６には、キャッチャーシャンク２３が設けられている。このキャッチャーシャンク２３は、バット１６の前面から前方に斜め下方に延びている。キャッチャーシャンク２３の前端部には、ブロック状に形成されたキャッチャー２４が設けられており、前方のバックチェック１８に対向している。
【００２８】
また、センターレール２９の後方には、ダンパー２５が鍵６ごとに設けられている（１つのみ図示）。ダンパー２５は、センターレール２９に固定されたダンパーフレンジ２８に、ピン状の支点２６ｃを介して回動自在に取り付けられたダンパーレバー２６と、ダンパーレバー２６の上端部に立設されたダンパーワイヤ２６ａと、ダンパーワイヤ２６ａの上端部に取り付けられたダンパーヘッド２７と、ダンパーレバー２６を弦Ｓ側に付勢するダンパーレバースプリング２６ｂなどで構成されている。このダンパー２５は、離鍵時に、ダンパーレバースプリング２６ｂの付勢力によって、ダンパーヘッド２７が弦Ｓに当接することにより止音するためのものである。
【００２９】
ハンマー４もまた、鍵６ごとに設けられており（１つのみ図示）、バット１６の上面に立設されたハンマーシャンク３１、およびその上端部に設けられたハンマーヘッド３２を有している。ハンマーシャンク３１は、断面円形の細長い棒状に形成され、上下方向に延びている。ハンマーヘッド３２は、ハンマーウッド３２ａおよびハンマーフェルト３２ｂを有しており、後方に鉛直に張られた弦Ｓに対向している。ハンマーウッド３２ａは、ハンマーシャンク３１から後方に斜め上方に延びており、その後部はテーパ状に薄くなっている。このテーパ部には、ハンマーフェルト３２ｂが巻かれており、押鍵時には、このハンマーフェルト３２ｂが弦Ｓを打弦する。
【００３０】
以上の構成により、アクション３およびハンマー４などの重量によるモーメントが、ウィッペン１１のピン状の支点１１ｂ回りに、図１の時計方向に作用している。また、ハンマー組立て品５の重量によるモーメントが、支点１６ｂ回りに時計方向に作用している。また、バット１６とバットフレンジ１７の間には、バットスプリング１６ａが設けられており、これにより、ハンマー組立て品５が時計方向に付勢されている。離鍵状態では、ハンマー組立て品５は、このモーメントおよび付勢力によって時計方向に回動していて、ジャック１３のハンマー突上げ部１３ｂが、バット１６の下面の前端部で構成される被突上げ部１６ｃに下方から係合した状態で、静止している。
【００３１】
図３および図４に示すように、レットオフ付与装置１は、鍵盤２のすぐ後方において棚板８に設けられた不動のばね固定レール４１（固定部）と、このばね固定レール４１に取り付けられた多数の板ばね４２などを備えている。ばね固定レール４１は、断面矩形に形成され、棚板８の上面に固定されており、鍵盤２の左右方向の全体にわたって延びている。また、多数の板ばね４２は、ばね固定レール４１に鍵６ごとに設けられている。
【００３２】
板ばね４２は、図２に示すような所定の形状に曲げ加工されており、下端部の取付け部４３と、それよりも上側の部分のばね力を有するレットオフ付与部４４で構成されている。取付け部４３が平板状であるのに対し、レットオフ付与部４４は、取付け部４３の上端から前側に湾曲しながら延びており、その先端部は上方に屈曲している。取付け部４３の中央およびレットオフ付与部４４の下端部にはそれぞれ、上下方向に延びる長孔４３ａ，４３ａが、上下方向に並ぶように形成されている。
【００３３】
板ばね４２は、ワッシャ４５ａを介して各長孔４３ａに挿入されたねじ４５によって、ばね固定レール４１の前面に取り付けられており、その左右方向の中心が、対応する鍵６のそれと一致している。また、板ばね４２を取り付ける際には、上側のねじ４５は、レットオフ付与部４４の下端部を、そのばね力に抗してばね固定レール４１側に撓ませながら締め付けられるようになっており、図３に示すように、レットオフ付与部４４の下端部の背面は、ばね固定レール４１にぴったりと当接している。また、レットオフ付与部４４の先端部は、鍵６の後端部の上方に、ばね力作用部６ｃとの間に所定の間隔を隔てて位置している。
【００３４】
以下、上述したアップライトピアノの押鍵の開始から終了までの一連の動作について、図５に示す静的タッチ特性グラフを参照しながら説明する。演奏者により、図１に示す離鍵位置にある状態から鍵６が押鍵されると、その押鍵力によって、鍵６は、バランスピン７ａを中心として同図の時計方向に回動し、その後端部に載置されたウィッペン１１は、鍵６によって突き上げられることにより、上方（反時計方向）に回動する。このウィッペン１１の回動に伴い、ウィッペン１１に設けられたジャック１３およびバックチェック１８などが一緒に上方に移動し、ハンマー組立て品５は、そのバット１６がジャック１３のハンマー突上げ部１３ｂによって突き上げられることにより、後方の弦Ｓに向かって反時計方向に回動する。
【００３５】
すなわち、押鍵力によって、鍵６がバランスピン７ａを支点として回動し、アクション３がウィッペン１１の支点１１ｂ回りに回動するとともに、ハンマー組立て品５が、バット１６の支点１６ｂ回りに回動する。これらの回動に伴って、ハンマー組立て品５およびウィッペン１１のそれぞれの支点１６ｂ，１１ｂ回りのモーメントと、鍵６の支点であるバランスピン７ａ回りのモーメントに応じた反力が、鍵６を介して演奏者の指先に作用し、タッチ重さとして演奏者に付与される。
【００３６】
図５に実線（Ａ）で示すように、押鍵の開始直後には、タッチ重さはほぼ一定のまま推移する（同図の区間ａ）。その後、鍵６が所定の角度まで、回動すると、ウィッペン１１に設けたスプーン１９が、ダンパーレバー２６の下端部に当接することによって、ダンパーレバー２６をダンパーレバースプリング２６ｂの付勢力に抗して時計方向に回動させる。これにより、ダンパーヘッド２７が弦Ｓから離れ、弦Ｓが振動可能な状態になる。このようにスプーン１９がダンパーレバー２６を回動させる間は、ダンパーレバースプリング２６ｂの付勢力の分、押鍵の開始直後よりもタッチ重さが若干、大きくなる（区間ｂ）。
【００３７】
鍵６がさらに所定の角度まで回動すると、ジャック１３の基部１３ａの前端部が、レギュレティングボタン２０に下方から当接する。これにより、ジャック１３は、レギュレティングボタン２０により上方への移動が阻止されることによって、ウィッペン１１に対し、ジャックスプリング１４の付勢力に抗して時計方向に回動しようとする。このとき、レギュレティングボタン２０からの反力が作用し、この反力が、ジャック１３のハンマー突上げ部１３ｂがバット１６から抜けるまでの間、増大することによって、タッチ重さが急激に増大する（区間ｃ）。
【００３８】
また、ジャック１３がレギュレティングボタン２０に当接するのとほぼ同時に、図３（ｂ）に示すように、鍵６のばね力作用部６ｃが、板ばね４２のレットオフ付与部４４に下方から係合するとともにこれを押圧する。それにより、板ばね４２のばね力が、ばね力作用部６ｃを介して鍵６に作用し、鍵６を、その回動方向と逆方向に付勢する。その結果、バランスピン７ａ回りに板ばね４２からの付勢力に応じたモーメントが生じ、その分のタッチ重さが付加される。そして、この板ばね４２によるタッチ重さは、鍵６の回動が進むにつれて、板ばね４２の撓みが大きくなり、その付勢力が次第に増大することによって、次第に増大する。
【００３９】
そして、鍵６が、最終的な押鍵位置に達する前の所定の角度まで回動したときに、ハンマー突上げ部１３ｂが、バット１６から前方に抜けるように外れ、ハンマー組立て品５から離脱する（レットオフ）。また、同図（ｃ）に示すように、ジャック７の離脱とほぼ同時に、ばね力作用部６ｃが、レットオフ付与部４４から離脱する（以下、このような板ばね４２からのばね力作用部鍵６ｃの離脱を、「鍵６のレットオフ」という）。以上のようなジャック１３および鍵６のレットオフにより、鍵６のタッチ重さから、ハンマー組立て品５の重量分および板ばね４２の付勢力の分が失われ、タッチ重さが急激に減少する（区間ｄ）ことによって、演奏者にレットオフ感が付与される。上述したように、板ばね４２の付勢力の分、レットオフ荷重が増大しており、レットオフ前後のタッチ重さの変化量が、図５に破線（Ｂ）で示す通常のアップライトピアノの場合よりも大きくなるので、演奏者は、より明確なレットオフ感を得ることができる。
【００４０】
ハンマー組立て品５は、ジャック１３が離脱した後も慣性によって回動し、弦Ｓを打弦することにより振動させることによって、ピアノ音を発生させる。そして、ハンマー組立て品５は、弦Ｓの反発力によって、時計方向への復帰回動を開始する。一方、鍵６は、その前端部が筬７のフロントレール（図示せず）に当接することにより、最終的に押鍵位置に達する。それにより、鍵６のそれ以上の回動が不可能になるので、フロントレールからの反力によって、タッチ重さは急激に増大する（区間ｅ）。
【００４１】
押鍵が終了し、鍵６が離鍵されるのに伴い、ハンマー組立て品５、鍵６およびアクション３などは、押鍵時と逆方向に復帰回動する。この場合、鍵６は、そのばね力作用部６ｃがレットオフ付与部４４の先端部を摺動しながら、スムーズに回動し、レットオフ付与部４４から離脱することによって離鍵位置に復帰する。以上により離鍵状態に復帰し、押鍵時および離鍵時の一連の動作が終了する。
【００４２】
以上のように、本実施形態によれば、押鍵に伴う鍵６の回動中に、ジャック１３による本来のレットオフ荷重に加えて、板ばね４２によるレットオフ荷重が作用するので、その分、より大きなレットオフ荷重が得られる。その結果、より明確なレットオフ感を付与することができるので、演奏者は、グランドピアノを演奏するときのようにレットオフのタイミングを把握し易くなり、レットオフ直前のタッチコントロール、すなわちハンマーの打弦速度の微妙な調整をより容易に行うことができ、演奏の表現力を向上させることができる。
【００４３】
また、板ばね４２の付勢力によるタッチ重さへの影響は、板ばね４２が鍵６に係合する間に限定され、それ以外はタッチ重さに影響を及ぼさない。したがって、「ばねっぽい」タッチ感になることなく、良好なタッチ感を得ることができる。
【００４４】
また、板ばね４２の付勢力は、バランスピン７ａから遠い鍵６の後端部のばね力作用部６ｃを介して作用するので、板ばね４２の付勢力によるバランスピン７ａ回りのモーメントを、より大きくすることができる。それにより、より大きなレットオフ荷重を付与することができ、したがって、演奏者は、より明確なレットオフ感を得ることができる。
【００４５】
また、鍵６の後端部は、押鍵に伴うストロークが大きいので、板ばね４２が、鍵６の後端部に係合するタイミングと、板ばね４２から離脱するタイミングを、板ばね４２を他の部分に設けた場合よりもきめ細かく調整することができ、最適な大きさのレットオフ荷重およびレットオフのタイミングを、容易に得ることができる。
【００４６】
また、本実施形態のレットオフ付与装置１は、押鍵に伴う鍵６の回動中に、ばね固定レール４１に板ばね４２を設けるだけで構成でき、その構成が非常に単純である。さらに、スペースに比較的余裕のある鍵６の後方に、ばね固定レール４１および板ばね４２が配置されているので、他の構成部品と干渉することなく、このレットオフ付与装置１をアップライトピアノに容易に適用することができる。
【００４７】
また、板ばね４２の背面を、ばね固定レール４１に接触させた状態で、ねじ４５をねじ込むだけで、板ばね４２を容易に取り付けることができる。また、板ばね４２は、曲げることにより容易に変形させることができるので、レットオフ付与部４４を変形させることにより、板ばね４２が鍵６に係合するタイミングや板ばね４２の付勢力を、容易に調整することができる。また、板ばね４２は、一般的に耐久性に優れているので、板ばね４２によって付与されるレットオフ荷重の大きさを、比較的長期間、一定に保つことができる。
【００４８】
さらに、上下２つのねじ４５，４５を緩めることによって、板ばね４２の上下方向の位置を、長孔４３ａの長さの範囲内で調整することができる。それにより、レットオフ付与部４４とばね力作用部６ｃの間の間隔を変化させることで、押鍵時にばね力作用部６ｃがレットオフ付与部４４に係合・離脱するタイミング、すなわち、鍵６のレットオフのタイミングを調整することができる。例えば、板ばね４２を下方に移動させ、両者４４，６ｃの間の間隔を狭めることによって、鍵６のレットオフのタイミングを早めることができ、逆に、両者４４，６ｃの間の間隔を広げることによって、鍵６のレットオフのタイミングを遅らせることができる。また、上側のねじ４５のねじ込み量を変化させることによって、レットオフ付与部４４の撓み量を変化させることにより、板ばね４２のばね力、およびそれによって付与されるレットオフ荷重の大きさを、容易に調整することができる。
【００４９】
図６および図７は、第２実施形態によるレットオフ付与装置５０を示している。本実施形態では、第１実施形態と比較して、板ばねの構成と、これをばね固定レール４１に取り付ける構成が異なっている。以下、第１実施形態のレットオフ付与装置１と共通する構成部品については同じ符号を付し、この相違点を中心として説明する。
【００５０】
本実施形態の板ばね５１は、下部の取付け部５１ａと、上部のレットオフ付与部５１ｂによって構成されている。取付け部５１ａは、前方に凸に湾曲しており、その下端部は、前方に斜めに屈曲している。また、取付け部５１ａの上下方向の中央には、孔（図示せず）が形成されており、板ばね５１は、この孔に通されたねじ４５によって、ばね固定レール４１の前面に取り付けられている。この状態では、取付け部５１ａの上端部および下端部が、ばね固定レール４１に当接している。また、レットオフ付与部５１ｂは、基本的に、第１実施形態のレットオフ付与部４４と同様の構成を有しており、取付け部５１ａの上端部から前方に湾曲しながら延びていて、その先端部が上方に屈曲している。
【００５１】
以上のようなレットオフ付与装置５０では、ばね固定レール４１へのねじ４５のねじ込み量によって、レットオフ付与部５１ｂと鍵６のばね力作用部６ｃとの相対的な位置関係を調整することができる。具体的には、ねじ４５を締め付けると、取付け部５１ａが、ばね固定レール４１に押圧されることによって開くように撓むので、それに伴い、レットオフ付与部５１ｂは、前方に倒れるように移動する。それにより、ばね力作用部６ｃとレットオフ付与部５１ｂの間の間隔が狭まる結果、鍵６のレットオフのタイミングを早めることができる。一方、ねじ４５を緩めると、取付け部５１ａが、ねじ４５を締め付ける場合と逆に変形し、ばね力作用部６ｃとレットオフ付与部５１ｂの間の間隔が広がることによって、鍵６のレットオフのタイミングを遅らせることができる。他の構成は、前述した第１実施形態と同様である。
【００５２】
以上の構成から明らかなように、本実施形態によれば、前述した第１実施形態と同様の静的タッチ特性を得ることができ、第１実施形態による前述した効果を得ることができる。また、ねじ４５のねじ込み量を調整するだけで、レットオフ付与部５１ｂの位置を変更でき、鍵６のレットオフのタイミングを、容易に調整することができる。
【００５３】
図８および図９は、第３実施形態によるレットオフ付与装置６０を示している。本実施形態は、第１および第２実施形態のレットオフ付与装置１，５０と比較して、板ばねの構成と、これをばね固定レール４１に取り付ける構成のみが異なっている。以下、第１実施形態のレットオフ付与装置１と共通する構成部品については同じ符号を付し、この相違点を中心として説明する。
【００５４】
このレットオフ付与装置６０の板ばね６１も、下部の取付け部６１ａと、その上側のレットオフ付与部６１ｂによって構成されている。取付け部６１ａは、上下方向に延びており、その中央に１つの孔が形成されている（図示せず）。また、ばね固定レール４１の前面には、上下２つのほぼ半球状の突起４１ａ，４１ａが、鍵６ごとに設けられている（１組のみ図示）。
【００５５】
また、板ばね６１の前面には、レール６２が設けられている。このレール６２は、例えば、オクターブごとに、または鍵盤２の全体にわたって、左右方向に延びている。このレール６２にも、孔が鍵６ごとに形成されており（図示せず）、板ばね６１は、上下の突起４１ａ，４１ａとレール６２に挟まれた状態で、レール６２および板ばね６１の孔に通されたねじ４５によって、ばね固定レール４１に取り付けられている。他の構成は、前述した第１実施形態と同様である。
【００５６】
以上の構成から明らかなように、本実施形態によれば、前述した第１および第２実施形態と同様の静的タッチ特性を得ることができる。また、板ばね６１が、２つの突起４１ａ，４１ａと、レール６２の間に挟み付けられた状態で、しっかりと固定されているので、第２実施形態と比較して、板ばね６１をより安定して取り付けることができる。
【００５７】
なお、本発明は、上述した第１〜第３実施形態に限定されることなく、種々の態様で実施することができる。例えば、各実施形態では、ばね固定レール４１に設けた板ばねに鍵６のばね力作用部６ｃを係合させているが、これとは逆に、鍵６側にばねを設け、このばねを、押鍵に伴って固定部側に係合させるようにしてもよい。また、各実施形態では、ばね固定レール４１および板ばねなどを鍵盤２の後方に配置したが、これに限らず、例えば鍵盤２の下方など、他の位置に設けてもよい。また、上述した各実施形態で用いた板ばねに代えて、他のばね、例えば線材を曲げ加工することにより構成したばねを用いてもよい。
【００５８】
さらに、上述した各実施形態は、本発明によるレットオフ付与装置をアップライトピアノに適用した例であるが、アクションが設けられていない他の鍵盤楽器に適用してもよい。前述したように、本発明によるレットオフ付与装置は、構成が非常に単純であるので、アクションが設けられていない鍵盤楽器にも容易に取り付けることができ、それにより、レットオフ感を容易に付与することができる。したがって、タッチ感を、アクションを有するグランドピアノに近づけることができるとともに、鍵のタッチコントロールを容易に行うことができ、演奏の表現力を向上させることができる。その他、細部の構成を、本発明の趣旨の範囲内で適宜、変更することが可能である。
【図面の簡単な説明】
【００５９】
【図１】第１実施形態によるレットオフ付与装置を適用したアップライトピアノの鍵盤およびアクションなどを、離鍵状態において示す側面図である。
【図２】図１のレットオフ付与装置の板ばねおよびばね固定レールを、板ばねをばね固定レールから取り外した状態で示す側面図である。
【図３】図１のレットオフ付与装置の側面図であり、（ａ）鍵が離鍵位置にあるとき、（ｂ）鍵のばね力作用部が板ばねに係合したとき、および（ｃ）鍵が押鍵位置に達したときをそれぞれ示している。
【図４】図１のレットオフ付与装置の板ばねおよびばね固定レールを、斜め前方から示す斜視図である。
【図５】図１のレットオフ付与装置を適用したアップライトピアノの静的タッチ特性（Ａ）、および通常のアップライトピアノの静的タッチ特性（Ｂ）をそれぞれ示す図である。
【図６】第２実施形態によるレットオフ付与装置を示す側面図である。
【図７】図６のレットオフ付与装置の板ばねおよびばね固定レールを、斜め前方から示す斜視図である。
【図８】第３実施形態によるレットオフ付与装置を示す側面図である。
【図９】図８のレットオフ付与装置の板ばねおよびばね固定レールを、斜め前方から示す斜視図である。
【符号の説明】
【００６０】
１    レットオフ付与装置
６    鍵
６ｃ  ばね力作用部
７ａ  バランスピン（支点）
４１    ばね固定レール（固定部）
４２    板ばね（ばね）
５０    レットオフ付与装置
５１    板ばね（ばね）
６０    レットオフ付与装置
６１    板ばね（ばね）
【図１】
2007139881.tif 000003
【図２】
2007139881.tif 000004
【図３】
2007139881.tif 000005
【図４】
2007139881.tif 000006
【図５】
2007139881.tif 000007
【図６】
2007139881.tif 000008
【図７】
2007139881.tif 000009
【図８】
2007139881.tif 000010
【図９】
2007139881.tif 000011